(57)【要約】【課題】水道水その他の水を中和し、ＰＨ値を一定に保持して弱アルカリ性にできる水処理用フィルタ装置を提供する。【解決手段】水を通過させる水処理用フィルタ１を備える。このフィルタ１は水を導入する水入口１９及び処理水を流出する水出口２０を有するハウジング１１と、ハウジング内に形成され、第１の水処理剤層１５を充填した気密性の収容室１２と、水出口２０と連通させてハウジング内に形成された水合流室１３と、水入口１９と水合流室１３とを連通して設けた主流管１４と、この管１４内を水合流室１３へ流出する水の一部を管１４の途中で分流させて収容室１２へ導入する手段１６と、収容室１２と水合流室と連通する水合流手段１７とを備える。水処理剤層１５はカルシウム成分を含有する複数個のセラミック固形物１５ｂで構成する。【選択図】　　　　　　図１
2004082081.tif 000002
【特許請求の範囲】
【請求項１】
水処理用フィルタを備え、水を前記フィルタを通過させて処理する水処理用フィルタ装置において、
前記水処理用フィルタは、水入口及び水出口を有するハウジングと、前記ハウジング内に設けた第１の仕切板で気密性を保持させて前記ハウジング内に形成された収容室と、前記水出口と連通させて前記ハウジング内に形成された水合流室と、前記水入口と前記水合流室とを連通した主流管と、前記収容室内へ充填した第１の水処理剤層と、前記管内を前記水入口から前記水合流室流出する水の一部を前記管内の途中で分流させて前記収容室へ導入する分流導入手段と、前記収容室と前記水合流室とを連通する水合流手段とを備え、
前記水処理剤層はカルシウム成分を含有する複数個のカルシウム成分含有材で構成されていることを特徴とする、
水処理用フィルタ装置。
【請求項２】
前記処理用フィルタの水入口側と連結して設けられ、水入口及び水出口を有するハウジング内に第２の水処理剤層を充填した水活性用フィルタをさらに備え、
前記第２の水処理剤層は二価三価鉄塩を含有する複数個のセラミック固形物で構成されていることを特徴とする、請求項１記載の水処理用フィルタ装置。
【請求項３】
請求項２記載の前記水活性用フィルタは前記水処理用フィルタの前記水出口側と連結して設けてあることを特徴とする、請求項１記載の水処理用フィルタ装置。
【請求項４】
前記カルシウム成分含有材はカルシウム成分を含有するセラミック固形物で構成されていることを特徴とする、請求項１ないし３のいずれかに記載の水処理用フィルタ装置。
【請求項５】
前記カルシウム成分は珊瑚砂、焼成した珊瑚、焼成した貝化石及び焼成した動物骨の群から選ばれる少なくとも１種の物質であることを特徴とする、請求項１ないし４のいずれかに記載の水処理用フィルタ装置。
【請求項６】
前記二価三価鉄塩は、式
Ｆｅ＋２ｍ　Ｆｅ＋３ｎ　Ｃｌ２ｍ＋３ｎ（式中ｍ及びｎは正の整数を示す）で示される化合物であることを特徴とする、請求項１ないし５のいずれかに記載の水処理用フィルタ装置。
【請求項７】
前記二価三価鉄塩は請求項６記載の前記式で示される化合物に代え、磁性を帯びた二価三価鉄塩であることを特徴とする、請求項１ないし５のいずれかに記載の水処理用フィルタ装置。
【請求項８】
前記磁性を帯びた二価三価鉄塩は、磁鉄鉱を濃塩酸に溶解させた後、この溶液を中和し、この中和した溶液を濃縮して結晶化し、この結晶を、磁鉄鉱を濃塩酸に半溶解させた溶液に加える工程とを含んで得られる化合物であることを特徴とする、請求項７記載の水処理用フィルタ装置。
【請求項９】
前記分流導入手段は、前記主流管の外周面との間に水流通用の流通路を形成して前記主流管に嵌合すると共に両端を前記収容室内と気密性を保持して設けた分流用流水管と、前記流通路と連通させて前記主流管に設けた分流用連通孔と、前記流通路と前記収容室とを連通する連通部とで構成されていることを特徴とする、請求項１ないし８のいずれかに記載の水処理用フィルタ装置。
【請求項１０】
前記水合流手段は、前記収容室と前記水合流室とを連通する水導出用の連通部で構成されていることを特徴とする、請求項１ないし９のいずれかに記載の水処理用フィルタ装置。
【請求項１１】
前記水処理用フィルタは、前記主流管の端部を貫通させると共に前記仕切板と前記水出口側方向へ所望の間隔を存して前記ハウジング内に設けた第２の仕切板と、この仕切板と前記第１の仕切板とで仕切られて前記ハウジング内に形成された仕切室とを備え、
前記水合流手段は、前記収容室と前記仕切室とを連通する水導出用の連通部と、前記収容室内に位置させて前記主流管に設けた連通孔若しくは前記仕切室と前記水合流室とを連通する孔又は溝とで構成されていることを特徴とする、請求項１ないし９のいずれかに記載の水処理用フィルタ装置。
【請求項１２】
水処理用フィルタを備え、水を前記フィルタを通過させて処理する水処理用フィルタ装置において、
前記水処理用フィルタは、水入口及び水出口を有するハウジングと、前記ハウジング内に設けた第１の仕切板で気密性を保持させて前記ハウジング内に形成され、前記水入口と連通した第１の収容室と、前記第１の仕切板と所望の距離間隔を存して前記ハウジング内に設けた第２の仕切板及び前記第１の仕切板とにより気密性を保持させて前記ハウジング内に形成された第２の収容室と、前記水出口と連通させて前記ハウジング内に形成された水合流室と、前記第１及び第２の仕切板を貫通して設けられ、前記第１の収容室と前記水合流室とを連通した主流管と、前記第１の収容室内へ充填した第２の水処理剤層と、前記第２の収容室内へ充填した第１の水処理剤層と、前記主流管内を前記第１の収容室から前記水合流室へ流出する水の一部を前記管内の途中で分流させて前記第２の収容室へ導入する分流導入手段と、前記第２の収容室と前記水合流室とを連通する水合流手段とを備え、
前記第２の水処理剤層は二価三価鉄塩を含有する複数個のセラミック固形物で構成され、
前記第１の水処理剤層はカルシウム成分を含有する複数個のカルシウム成分含有材で構成されていることを特徴とする、
水処理用フィルタ装置。
【請求項１３】
前記カルシウム成分含有材はカルシウム成分を含有するセラミック固形物で構成されていることを特徴とする、請求項１２に記載の水処理用フィルタ装置。
【請求項１４】
前記カルシウム成分は請求項５記載の物質と同種の物質であることを特徴とする、請求項１２又は１３に記載の水処理用フィルタ装置。
【請求項１５】
前記二価三価鉄塩は、請求項６記載の前記式で示される化合物であることを特徴とする、請求項１２ないし１４のいずれかに記載の水処理用フィルタ装置。
【請求項１６】
前記二価三価鉄塩は、請求項６記載の前記式で示される化合物に代え、磁性を帯びた二価三価鉄塩であることを特徴とする、請求項１２ないし１４のいずれかに記載の水処理用フィルタ装置。
【請求項１７】
前記磁性を帯びた二価三価鉄塩は、請求項８記載の前記化合物であることを特徴とする、請求項１６記載の水処理用フィルタ装置。
【請求項１８】
前記分流導入手段は、前記主流管の外周面との間に水流通用の流通路を形成して前記主流管に嵌合すると共に両端を前記第２の収容室内と気密性を保持させて設けた分流用流水管と、前記流通路と連通させて前記主流管に設けた分流用流通孔と、前記流通路と前記第２の収容室とを連通する連通部とで構成されていることを特徴とする、請求項１２ないし１７のいずれかに記載の水処理用フィルタ装置。
【請求項１９】
前記水合流手段は、前記第２収容室と前記水合流室とを連通する水導出用の連通部で構成されていることを特徴とする、請求項１２ないし１８のいずれかに記載の水処理用フィルタ装置。
【請求項２０】
前記水処理用フィルタは、前記主流管の端部を貫通させると共に前記第２の仕切板と前記水出口側方向へ所望の間隔を存して前記ハウジング内に設けた第３の仕切板と、この仕切板と前記第２の仕切板とで仕切られて前記ハウジング内に形成された仕切室とを備え、
前記水合流手段は、前記第２の収容室と前記仕切室とを連通する水導出用の連通部と、前記仕切室内に位置させて前記主流管に設けた連通孔若しくは前記仕切室と前記水合流室とを連通する孔又は溝とで構成されていることを特徴とする、請求項１２ないし１８のいずれかに記載の水処理用フィルタ装置。
【請求項２１】
請求項１２ないし２０のいずれかに記載の水処理用フィルタ装置において、前記第１の収容室内へ充填した第３の水処理剤層をさらに備え、
前記第３の水処理剤層は活性炭で構成されていることを特徴とする、水処理用フィルタ装置。
【請求項２２】
請求項１ないし２１のいずれかに記載の水処理用フィルタを用いて構成されていることを特徴とする、水処理装置。
【発明の詳細な説明】
【０００１】
【発明の属する技術分野】
本発明は水処理用フィルタ装置を備え、水を前記フィルタを通過させて処理する水処理用フィルタ装置及び水処理装置に関する。さらに詳しくは前記フィルタを用い、水道水，井戸水，中空糸膜透過水、或いは逆浸透膜透過水等の水を中和して弱アルカリ性にする水処理用フィルタ装置および水処理装置に関する。
【０００２】
【従来の技術】
一般に、身体に好適な水はＰＨ約８弱ないし約８．５程度の弱アルカリ水であると言われている。水を中和してＰＨ値を高める処理方法としてカルシウムを用いる方法が考えられる。そこで、本発明者はカルシウム濾材を用いたフィルタを製造し、水を前記フィルタを通過させて処理する方法を試みた。この方法によると、水が前記濾材と接触して反応し、濾材中を通過する間にカルシウム成分が水に溶出するので、水のＰＨ値は高くなり、アルカリ水化させることができる。
【０００３】
しかるに、前記の方法によると、全ての水をカルシウム濾材を通過させるので、水に対するカルシウム成分の溶出量、したがって、水中のカルシウム成分の含有量が多くなり過ぎ、そのためＰＨ値が高くなり過ぎる。水道水等の水を用いて行なった実験の結果では、ＰＨ値が約１２〜約１４程度になることが判明した。
ＰＨ値が高過ぎると、ヒトの健康上において良い結果とはならない。身体に好適な水は上述したように、ＰＨ約８弱ないし約８．５程度の範囲である。
【０００４】
また、前述の方法は全ての水をカルシウム濾材を通過させるので、使用当初は前記したようにカルシウム成分の溶出量が多く、その後時間の経過に伴ってカルシウム成分の溶出量が次第に少なくなり、その結果、ＰＨ値も次第に低下して弱アルカリ性に中和することができなくなる。
【０００５】
上記のように前述の方法では前記フィルタを通過する水のＰＨ値が変化して一定に保持することはできないと共に、長期間に亘り水を安定して弱アルカリ化処理することはできない問題を有している。
【０００６】
【発明が解決しようとする課題】
本発明は上記のような実情に鑑み、水を初期の段階から長期間に亘り、安定、かつ一定に保持させて中和（ＰＨ値を調整）し、身体に好適な弱アルカリ性にし得る水処理用フィルタ装置及び水処理装置を提供することを目的とするものである。
【０００７】
【発明が解決するための手段】
上記目的を達成するため、本発明のうち１つの発明（第１の発明）は、水処理用フィルタを備え、水を前記フィルタを通過させて処理する水処理用フィルタ装置において、前記水処理用フィルタは、水入口及び水出口を有するハウジングと、前記ハウジング内に設けた第１の仕切板で気密性を保持させて前記ハウジング内に形成された収容室と、前記水出口と連通させて前記ハウジング内に形成された水合流室と、前記水入口と前記水合流室とを連通した主流管と、前記収容室内へ充填した第１の水処理剤層と、前記管内を前記水入口から前記水合流室へ流出する水の一部を前記管内の途中で分流させて前記収容室へ導入する分流導入手段と、前記収容室と前記水合流室とを連通する水合流手段とを備え、前記水処理剤層はカルシウム成分を含有する複数個のカルシウム成分含有材で構成されていることを特徴とする。
【０００８】
第１の発明によれば、水は前記フィルタの水入口へ送給すると、この水は前記主流管内を通って前記水合流室内へ流出する。一方、前記管内を流れる水の一部は前記管内の途中で分流される。そして、この分流水だけを前記収容室内へ導入して前記層を通過させ、この分流通過水（この水はＰＨ値が高い）を前記水合流室内へ流出する前記水と合流させる。したがって、前記水入口へ送給した水は前記分流通過水により中和（ＰＨ値を調整）され、弱アルカリ水となる。また、一部の水だけを前記層を通過させるので、前記層の水処理剤を長期間にわたり有効に作用させ、安定かつ一定に保持させ、前記水を中和してＰＨ値を所望の数値に調整することができる。
【０００９】
第１の発明において、前記カルシウム成分含有材は、カルシウム成分を含有するセラミック固形物で構成することができる。前記カルシウム成分を含有する物質の種類は特に限定されるものではないが、例えば珊瑚砂、焼成した珊瑚、焼成した貝化石及び焼成した動物骨等が挙げられ、これらの中から１種又は複数種を選択して採用することができる。前記構成に関しては以下に説明する発明についても同様である。
【００１０】
第１の発明において、前記分流導入手段は、例えば前記主流管の外周面との間に水流通用の流通路を形成して前記主流管に嵌合すると共に両端を前記収容室内と気密性を保持して設けた分流用流水管と、前記流通路と連通させて前記主流管に設けた分流用連通孔と、前記流通路と前記収容室とを連通する連通部とで構成することができる。また、前記水合流手段は、例えば前記収容室と前記水合流室とを連通する水導出用の孔又は溝で構成することができる。
【００１１】
また、第１の発明において、前記水処理用フィルタは、前記主流管の端部を貫通させると共に前記仕切板と前記水出口側方向へ所望の間隔を存して前記ハウジング内に設けた第２の仕切板と、この仕切板と前記第１の仕切板とで仕切られて前記ハウジング内に形成された仕切室とを備え、前記水合流手段は、前記収容室と前記仕切室とを連通する水導出用の連通部と、前記収容室内に位置させて前記主流管に設けた連通孔若しくは前記仕切室と前記水合流室とを連通する孔又は溝とで構成することができる。
【００１２】
本発明のうち、他の１つの発明（第２の発明）は、第１の発明において、前記水処理用フィルタの水入口側と連結して設けられ、水入口及び水出口を有するハウジング内に第２の水処理剤層を充填した水活性用フィルタをさらに備え、前記第２の水処理剤層は二価三価鉄塩を含有する複数個のセラミック固形物で構成されていることを特徴とする。
【００１３】
本発明のうち、さらに他の１つの発明（第３の発明）は、第１の発明において、前記水活性用フィルタは前記水処理用フィルタの前記水出口側と連結して設けてあることを特徴とする。
【００１４】
前記二価三価鉄塩は近年開発された活性物質で、この活性物質は二価鉄と三価鉄との中間の性質を示す鉄の塩酸塩，硫酸塩，硝酸塩等の無機塩、及び蟻酸塩，酢酸塩，ポロピオン酸塩等の有機塩であり、例えば、塩化第二鉄を水酸化ナトリウム，水酸化カルシウム，水酸化カリウム，水酸化リチウム等の強アルカリの水溶液に投入して原子価変換を起こさせた場合の遷移形態等として得られるもので、現在工業的に生産可能である。
【００１５】
前記二価三価鉄塩の活性物質は水と接触することにより、次のような作用を有することが判明している。即ち、通常の水に前記活性物質を超微量（濃度２×１０−１２モル＝１／２０兆）混入することにより、この物質１／２０兆％水溶液（以下、この水溶液を便宜上「パイウォーター」という）は以下のような特性をもつことが判明している。
【００１６】
（水分子の構造変化）…通常、水の水分子は水素と酸素の重心がかさならないため、プラス・マイナスの極性が起こる。そのため、水分子が水素結合によってカゴ状に結合するため、カゴの中に炭化水素，メタン，気体等を溶かし込むことになる。これに対し、パイウォーターでは電子スピンによって水分子及び水分子の結合構造を極性分子から無極性分子に変化、即ち、Ｈ（水素）とＯ（酸素）の重心をかさね、双極性を無にする。つまり、プラス及びマイナスを水分子自体が持たなくなり、その結果、通常の水のように炭化水素等を溶かし込むことはなくなる。
【００１７】
（脱イオン反応）…通常、水中では金属及び金属塩はイオン解離し、イオン反応を主体とする物質変化が起こるが、パイウォーター中ではプラス・マイナスが無くなるため、金属イオンの脱解離が起こり非イオン反応系を形成する。
【００１８】
（病原菌の阻止）…バクテリア等の雑菌は単細胞の微生物でマイナスチャージをもっており、通常水のイオン反応系では生息するがパイウォーター中ではイオン反応を抑制し、雑菌の平衡状態を変化させ増殖はもちろん生息できない環境にする。
【００１９】
前記物質は上述したように、水分子の構造を変化させて活性することは実験上証明されている。第２及び第３の発明は上述したように、前記水活性用フィルタを備え、水を前記第２の水処理剤層を通過させるように構成してある。したがって、第２及び第３発明にあっては、水は前記層を通過中、前記セラミック固形物の前記活性物質と接触して反応し、二価三価鉄塩を含有する水となる。このように、第２及び第３の発明によれば第１の発明に加え、二価三価鉄塩の作用による上述した特性を有する水になる。
【００２０】
本発明において、前記二価三価鉄塩としては、例えば式、
Ｆｅ＋２ｍ　Ｆｅ＋３ｎ　Ｃｌ２ｍ＋３ｎ（式中ｍ及びｎは正の整数を示す）で示される化合物が例示できる。前記式で示される物質の具体的製造方法として、例えば、次の工程により得たものを例示する。即ち、塩化第二鉄を強アルカリの水溶液に溶解させる工程、この溶液を塩酸で中和する工程、この中和した溶液を濃縮して結晶を得る工程、とを含んで製造することができる。なお、上記製造方法はその一例を示したもので、これに限定されるものではない。
【００２１】
第２の発明において、前記二価三価鉄塩は、前記式で示される化合物に代え、磁性を帯びた二価三価鉄塩を採用することもできる。前記磁性を帯びた二価三価鉄塩は、電磁気処理による特性と化学処理による特性の両方を同時に兼ね備えた活性物質で、例えば磁鉄鉱を化学処理して得られる。
【００２２】
前記磁性を帯びた二価三価鉄塩の活性物質は水と接触することにより、次のような作用を奏する特性を有している。即ち、通常の水に前記活性物質を超微量（濃度２×１０−１２モル＝１／２０兆）混入することにより、この物質１／２０兆％水溶液は、上述したパイウォーターのもつ特性に加え、電磁気処理した活性水と同様な特性をもち、特にこの活性物質は水に溶解して共存するので、外部から磁場をかけた活性水に比べ水に強く、かつ効果的に作用する。
【００２３】
本発明において、前記磁性を帯びた二価三価鉄塩としては、例えば磁鉄鉱を濃塩酸に溶解させた後、この溶液を中和し、この中和した溶液を濃縮して結晶化し、この結晶を、磁鉄鉱を濃塩酸に半溶解させた溶液に加える工程を含んで得られる化合物が例示できる。
【００２４】
前記二価三価鉄塩の構成等に関しては以下に説明する発明についても同様である。
【００２５】
本発明のうち、さらに他の１つの発明（第４の発明）は、水処理用フィルタを備え、水を前記前記フィルタを通過させて処理する水処理用フィルタ装置において、前記水処理用フィルタは、水入口及び水出口を有するハウジングと、前記ハウジング内に設けた第１の仕切板で気密性を保持させて前記ハウジング内に形成され、前記水入口と連通した第１の収容室と、前記第１の仕切板と所望の距離間隔を存して前記ハウジング内に設けた第２の仕切板及び前記第１の仕切板とにより気密性を保持させて前記ハウジング内に形成された第２の収容室と、前記水出口と連通させて前記ハウジング内に形成された水合流室と、前記第１及び第２の仕切板を貫通して設けられ、前記第１の収容室と前記水合流室とを連通した主流管と、前記第１の収容室内へ充填した第２の水処理剤層と、前記第２の収容室内へ充填した第１の水処理剤層と、前記主流管内を前記第１の収容室から前記水合流室へ流出する水の一部を前記管内の途中で分流させて前記第２の収容室へ導入する分流導入手段と、前記第２の収容室と前記水合流室とを連通する水合流手段とを備え、前記第２の水処理剤層は二価三価鉄塩を含有する複数個のセラミック固形物で構成され、前記第１の水処理剤層はカルシウム成分を含有する複数個のカルシウム成分含有材で構成されていることを特徴とする。
【００２６】
第４の発明によれば、前記フィルタの水入口から前記ハウジング内に導入される前記水は、前記第２の水処理剤層を通過し、この通過水は前記主流管内を通って前記水合流室内へ流出する。一方、前記管内を流れる水の一部は前記管内の途中で分流して前記第２の収容室内へ導入され、前記第１の水処理剤層を通過する。そして、この分流通過水（この水はＰＨ値が高い）は前記水合流室内へ流出する前記水と合流する。したがって、第４の発明によれば第１の発明及び第２，第３の発明の両方の作用効果を同時に兼ね備える。
【００２７】
なお、前記カルシウム成分含有材は第１の発明と同様のものを採用できる。また、前記二価三価鉄塩についても前記した発明と同様である。
【００２８】
第４の発明において、前記分流手段は、例えば前記主流管の外周面との間に水流通用の流通路を形成して前記主流管に嵌合すると共に両端を前記第２の収容室内と気密性を保持させて設けた分流用流水管と、前記流通路と連通させて前記主流管に設けた分流用流通孔と、前記流通路と前記第２の収容室とを連通する連通部とで構成することができる。また、前記水合流手段は、例えば前記第２の収容室と前記水合流室とを連通する水導出用の連通部で構成することができる。
【００２９】
また、第４の発明において、前記水処理用フィルタは、前記主流管の端部を貫通させると共に前記第２の仕切板と前記水出口側方向へ所望の間隔を存して前記ハウジング内に設けた第３の仕切板と、この仕切板と前記第２の仕切板とで仕切られて前記ハウジング内に形成された仕切室とを備え、前記水合流手段は、前記第２の収容室と前記仕切室とを連通する水導出用の連通部と、前記仕切室内に位置させて前記主流管に設けた連通孔若しくは前記仕切室と前記水合流室とを連通する孔又は溝とで構成することができる。
【００３０】
さらに、本発明は第４の発明において、前記第１の収容室内へ活性炭で形成された第３の水処理剤層をさらに充填して設けた構成（第５の発明）を採用することができる。活性炭は水の悪臭や塩素等を吸着して除去する作用を有していると共に活性炭で形成された第３の層は約１μｍ以上の物質を吸着・濾過して分離除去する作用を有している。したがって、第５の発明によれば、第４の発明に加え、上述した作用効果を奏する。
【００３１】
前記本発明の各水処理用フィルタ装置はそのままで各種の水処理用フィルタ装置として使用される。また、前記各水処理用フィルタを用いて水処理装置を構成して使用される。なお、この明細書において「水処理装置」とは、家庭用活水器及び活水装置、家庭用浄水器及び浄水装置、業務用活水器及び活水装置、業務用浄水器及び浄水装置、或いは浄水と活水の両方の機能を兼ね備えた家庭用及び業務用の水処理器ないし水処理装置等の全てを含む概念として用いられている。
【００３２】
【発明の実施の形態】
以下、図面を参照して本発明の実施の形態の一例について説明する。図１は本発明の水処理用フィルタ装置の一実施の形態を示す縦断面図、図２は同上フィルタ装置の作用説明図である。
【００３３】
上記図１及び図２において、この実施の形態（実施の形態１）の水処理用フィルタ装置は水を通過させて処理する水処理用フィルタ１を備える。
【００３４】
前記フィルタ１は、ハウジング１１と、収容室１２と、水合流室１３と、主流管１４と、第１の水処理剤層１５と、分流導入手段１６と、水合流手段１７、及び仕切室１８とを備えている。
【００３５】
前記ハウジング１１は水入口１９及び水出口２０を有している。図示のハウジング１１は一端を閉塞板１１ｂで閉塞し、他端を開口した円筒状の容器本体１１ａと、容器本体１１ａの開口他端に気密性を保持させて嵌合した密閉蓋体１１ｃとを備えている。前記水出口２０は前記蓋体１１ｃに設けてある。
【００３６】
前記収容室１２はハウジング１１内（図示では容器本体１１ａ内）に、前記閉塞板１１ｂと適当な距離間隔を存して設けた第１の仕切板２２で気密性を保持させてハウジング１１内に形成されている。前記収容室１２は前記処理剤層１５を充填して収容するもので、収容室１２の容積は適当に決定できる。
【００３７】
前記仕切室１８は前記仕切板２２と水出口２０側方向へ適当な間隔を存しハウジング１１内（図示では容器本体１１ａ内）に設けた第２の仕切板２３と、この仕切板２３と第１の仕切板２２とで気密性を保持させてハウジング１１内に形成されている。前記仕切室１８内にはフェルト材やグラスファイバーその他の素材よりなるフィルタ部材２４が収容してある。
【００３８】
前記水合流室１３は、前記水出口２０と連通させると共に第２の仕切板２３で気密性を保持させてハウジング１１内に形成されている。また、実施の形態１の水合流室１３内には、前記第２の仕切板２３と適当な間隔を存して設けられ、任意数、かつ、適当な大きさの孔２５を有するフィルタ受け板２６で区切られて形成したフィルタ室２７が形成されている。前記フィルタ室２７内には前記と同様のフィルタ部材２８が収容されている。なお、前記フィルタ室２７は所望に応じて設けるもので省略してもよい。
【００３９】
前記主流管１４は水入口１９と水合流室１３とを連通させ、水入口１９から導入される水を水合流室１３へ流出させるものである。実施の形態１の主流管１４は適当な太さ及び長さのパイプで構成され、一端部を前記第１及び第２の仕切板２２、２３を貫通させ、また、他端部を前記閉塞板１１ｂを貫通させると共にシールして前記板１１ｂ外に突出させて設けられ、この突出端部で前記水入口１９を構成してある。また、前記管１４の前記第１及び第２の仕切板２２、２３との貫通部もそれぞれシールしてある。
【００４０】
前記水処理剤層１５は、前記収容室１２内に充填して設けたカルシウム成分を含有する複数個のカルシウム成分含有材１５ａで構成されている。実施の形態１の前記成分含有材１５ａはカルシウム成分を含有するセラミック固形物１５ｂで構成されている。
【００４１】
前記カルシウム成分を含有する物質の種類は特に限定されるものではないが、例えば、珊瑚砂、焼成した珊瑚、焼成した貝化石及び焼成した動物骨等が挙げられ、これらの中から１種又は複数種を選択して採用することができる。また、前記成分含有材１５ａをセラミック固形物１５ｂで構成する場合には、前記例示した物質の中でも特に焼成した動物骨を粉末化した骨粉を採用するのが最も好ましい。この事実は長期間にわたる研究・実験の成果として判明したものである。
【００４２】
前記セラミック固形物１５ｂは任意の方法により適当な大きさ及び形状に形成するもので、実施の形態１ではボール状に形成したものが図示されている。また、セラミック固形物１５ｂは無数の微細な孔（室）を備えた多孔質に形成することが好ましい。なお、セラミック固形物の製造方法の具体例については追って説明する。
【００４３】
前記分流導入手段１６は、前記管１４内を水入口１９から水合流室１３へ流出する水の一部を前記管１４内の途中で分流させて前記収容室１２内へ導入するものである。実施の形態１の前記手段１６は、前記主流管１４の外周面との間に水流通用の流通路２９を形成して前記管１４に嵌合すると共に両端を収容室１２内と気密性を保持して設けた分流用流水管３０と、流通路２９と連通させて主流管１４に設けた分流用連通孔３１と、流通路２９と収容室１２とを連通する連通部３２とで構成されている。
【００４４】
前記流水管３０を収容室１２内と気密性を保持させる手段として、図面では前記管３０の一部を第１の仕切板に、また、他端を閉塞板３１ｂの内壁面にそれぞれ当接し、前記両当接部をそれぞれシールする構成を採用したものが開示されている。この場合前記管３０の両端を主流管１４の外周面とそれぞれシールする構成等を採用してもよく、要は収容室１２内と流通路２９とを気密にシールするように構成すればよいものである。
【００４５】
前記連通孔３１は主流管１４の適当な位置に設けるもので、図面の連通孔３１は第１の仕切板２２の近くに位置させて設けたものが開示されている。また、連通部３２を設ける位置も適当に決められるものであるが、収容室１２内へ導入される水が水処理剤層１５のほゞ全域を通過させる部位に設けることが好ましい。
図示の連通部３２は閉塞板１１ｂの近くに位置させて前記流水管３０に設けた孔で構成されている。この場合、前記連通部３２は閉塞板１１ｂの内壁面に流通路２９と収容室１２と連通する溝を設け、この溝で連通部３２を構成する等、変更可能なものである。
【００４６】
前記連通孔３１の大きさにより主流管１４内を流れる水を流通路２９へ分流させる量が決定される。前記孔３１の大きさは適当に決めるものであるが、例えば主流管１４として内径約１０ミリのパイプを採用する場合には、前記孔３１の大きさは例えば、直径約０．１ミリないし約０．６ミリ程度の範囲が挙げられる。
但し、上記範囲に限定するものではない。前記例示した範囲内で前記孔３１の大きさを変えることにより、流通路２９への分流量を調整することができる。また、前記連通部３２を構成する孔の大きさにより流通路２９から前記室１２内へ導入される水の分量が決定される。この連通部３２を構成する孔の大きさも前記と同様の範囲に設定することができる。
【００４７】
前記水合流手段１７は、前記収容室１２と水合流室１３とを連通させ、前記室１２内の前記処理剤層１５を通過した通過水を水合流室１３へ導入して合流させるものである。実施の形態１の前記手段１７は、収容室１２と仕切室１８とを連通する水導出用の連通部３３と、仕切室１８内に位置させて主流管１４に設けた連通孔３４とで構成されている。
【００４８】
図面に示す前記連通部３３は前記仕切板２２に設けた孔で構成されている。この場合、連通部３３はハウジング１１の容器本体１１ａの内壁面に収容室１２と仕切室１８とを連通する溝を設け、この溝で連通部３３を構成してもよい。また、前記連通孔３４に代え、第２の仕切板２３に仕切室１８と水合流室１３とを連通する孔を設け、或いは主流管１４の外周面又はハウジングの内壁面に仕切室１８と水合流室１３とを連通する溝を設ける構成を採用してもよい。これらの構成においても原理的には同様に作用する。
【００４９】
なお、前記連通部３３を構成する孔及び連通孔３４の大きさは前記と同様の範囲に設定することができる。
【００５０】
実施の形態１の水処理用フィルタ装置は上記のように構成したものである。この構成により、ハウジング１１の水入口１９から導入される水道水等の水は、図２に矢印で示すように主流管１４内を通って水合流室１３へ導入され、孔２５、フィルタ室２７を通って水出口２０から流出する。一方、前記過程において、主流管１４内を通過中の前記水の一部は分流用連通孔３１で分流され、流通路２９を経て連通部３２から収容室１２内へ導入される。この水は前記室１２内の前記水処理剤層１５を通過して前記連通部３３から導出される。そして、前記水は前記層１５を通過中、前記セラミック固形物１５ｂと接触して陽イオン変換（水素イオンが取り入れられ、その分カルシウムイオンが放出される）が行なわれ、中和される。
【００５１】
上記のように、前記室１２内へ導入された前記水は前記層１５を通過する間に中和処理される。そして、前記層１５を通過した分流通過水（この通過水はＰＨ値が高い）は連通部３３から導出され、仕切室１８内を通って前記連通孔３４から主流管１４内へ入り、主流管１４内の前記水（前記層１５を通過しない主流の水）と合流し、前記ルートを通って水出口２０から流出する。したがって、前記水は前記分流通過水により中和（ＰＨ値を調整）され、弱アルカリ水となる。
【００５２】
なお、実施の形態１の前記フィルタ装置は、一般的には前記水出口２０側を上部に位置させて縦型の姿勢で配置して使用するようになると思われるが、横型その他任意の姿勢で配置して使用するように構成できること勿論である。前記した姿勢の配置構成については後述する各実施の形態においても同様である。
【００５３】
本発明の水処理用フィルタ装置は、実施の形態１に示す構成において、前記仕切室１８を省略し、収容室１２と水合流室１３とを前記連通部３３（前記した孔又は溝）で直接連通させる構成を採用することもできる。この構成を採用する場合、第２の仕切板２３及び連通孔３４は不要になる。この構成によると前記層１５を通過した通過水は主流管１４から流出する前記水と水合流室１３内で合流する。前記水処理用フィルタ１の上記した変形例については後述する実施の形態においても同様である。
【００５４】
図３は本発明の水処理用フィルタ装置の他の実施の形態（実施の形態２）の全体構成の概略を示すブロック図、図４は同上装置に採用される水活性用フィルタの一例を示す縦断面図、図５は前記フィルタの作用説明図、図６はセラミック固形物の製造工程を示す説明図である。この水処理装置において、実施の形態１で既に説明した構成と共通する部材には同一の符号を付し、説明は省略する。実施の形態２は前記水処理用フィルタ１と連結して配置した水活性用フィルタ２を備えた構成を特徴とする。
【００５５】
前記水活性用フィルタ２０は図４に示すように、水入口４２及び水出口４３を有するハウジング４１と、このハウジング４１内に設けた第２の水処理剤層４４とを備えている。このフィルタ２は図３に示すように、前記水出口４３を管路Ｐ１により前記水処理用フィルタ１の前記水入口１９と連結して配置されている。
【００５６】
図示のハウジング４１は一端を閉塞板４１ｂで閉塞し、他端を開口した円筒状の容器本体４１ａと、容器本体４１ａの開口他端に気密性を保持して嵌合した密閉蓋体４１ｃとを備えている。前記水入口４２は閉塞板４１ｂに設けられ、また、前記水出口４３は前記蓋体４１ｃに設けてある。
【００５７】
前記第２の水処理剤層４４はハウジング４１ａ内に充填して設けた二価三価鉄塩を含有する複数個のセラミック固形物１０１で構成されている。前記層４４の両端にはグラスファイバーその他の素材よりなるフィルタ部材４５、４６が敷設されている。
【００５８】
前記セラミック固形物１０１が含有する二価三価鉄塩としては、式Ｆｅ＋２ｍＦｅ＋３ｎ　Ｃｌ２ｍ＋３ｎ（式中ｍ及びｎは正の整数を示す）で示される化合物を採用する。前記式中のｍとｎの比は前記化合物製造のベースに用いる物質の種類等により特定の数値をとる。例えばｍとｎの数値として、１，２又は３等を挙げることができる。
【００５９】
前記セラミック固形物１０１は前記化合物をセラミック基材１０１ａに含有させたものである。前記固形物１０１は適当な大きさ及び形状に形成するもので、この実施の形態では図６に詳細に示すように、例えば直径約５〜約１５ミリ程度のボール状に形成してある。セラミック基材１０１ａの構成原料は粘土を主材とし、これに所望の添加剤（材）を適量混入する。また、セラミック固形物１０１は無数の微細な孔（室）を備えた多孔質に形成することが好ましく、その形成手段として、前記基材１０１ａの原料中に適量のおがくずを混入するのが製造上においても簡単である。
【００６０】
前記セラミック基材１０１ａの焼成温度は約８００℃〜約１１００℃程度、焼成時間は特に限定されるものではないが、実験の結果では約１０時間〜約３０時間程度が好ましいことが判明した。また、基材１０１ａの原料中に混入する二価三価鉄塩の活性物質の量は極く少量で充分であり、例えばセラミック基材１０１ａの原料を混練して所望の大きさ、形状に形成する際に使用する水（蒸留水等がよい）に約１０万〜約１０００万分の１％混入、即ち、前記活性物質を蒸留水等に約１０万〜約１０００万分の１％含有してなる水溶液を粘土材の練り用水として使用することにより目的を達成することができる。但し、前記％の範囲内に限定するものではない。
【００６１】
次に前記セラミック固形物１０１の具体的な製造方法の一例につき説明する。
まづ、上述した式で示される二価三価鉄塩の活性物質は例えば次の方法により製造できる。即ち、１．０ｍｇの塩化第二鉄を１００ｍｌの０．５Ｎカセイソーダ水溶液に入れ、攪拌溶解させて２４時間静置する。前記溶液中に生じた不溶性物質を除去し、この溶液を塩酸で中和した後、減圧濃縮してデシケーター中で乾燥結晶化する。得られた結晶に５０ｍｌのイソプロピルアルコール８０重量％水溶液を加えて再溶解し、減圧濃縮して溶媒を除去、乾燥させ、この再溶解，濃縮，乾燥を数回繰り返すことにより０．２５ｍｇの結晶（二価三価鉄塩の活性物質）を得た。この結晶を約１１（１リットル）の水（蒸留水等）に溶かして原液とする。
【００６２】
次に前記固形物１０１は例えば次の方法により製造できる。即ち、図６に示すように、セラミック基材１０１ａの主原料として、粘土（粉末）約７０重量％、これに添加剤（材）として、ゼオライト（粉末）約１０重量％、アルミナ（粉末）約１０重量％、おがくず約１０重量％を配合する。そして、上記の原料、即ち、粘土１０２，ゼオライト１０３，アルミナ１０４，おがくず１０５を図６Ａに示すように適当な容器１０６に入れると共に、これに前記二価三価鉄塩の原液を蒸留水等の水で約１０００〜約２０００倍に希釈した希釈液（水溶液）１０７を適量添加して均一に攪拌混練し、これを所望の大きさ形状（例えば直径１０ミリ程度のボール状）に形成する（図６Ｂ参照）。そして、この成形品１０１ｂを適当な温度（例えば約８００℃〜約１１００℃程度）で適当時間（例えば約１０時間〜約３０時間）焼成する。これにより、前記成形品１０１ｂはセラミック状に焼成固化し、また、二価三価鉄塩も同時に焼結してセラミック基材１０１ａに均一に担持され、かつ、おがくずは燃焼してセラミック基材１０１ａには全体的に無数の微細な孔（室）１０８が形成され、セラミック固形物１０１が造られる（図６Ｃ参照）。
【００６３】
上記により製造したセラミック固形物１０１は、これを水に入れると、水はセラミック基材１０１ａの前記孔（室）１０８を通じて基材１０１ａ内に浸み込んで前記物質と接触して反応し、前記式で示される二価三価鉄塩を含有する水となる。また、前記物質はセラミック基材１０１ａに一体に焼結して担持されているので、水に一度に溶出することなく、基材内にとどまって長時間にわたり継続的に安定して作用する（有効作用期間は約１〜２年程度）。
【００６４】
実施の形態２の水処理用フィルタ装置の水活性用フィルタ２０は、ハウジング４１内に前記セラミック固形物１０１を所望数充填して構成した第２の水処理剤層４４を備えている。この構成により、ハウジング４１の水入口４２から導入される水道水等の水は、図５に矢印で示すように、フィルタ部材４５、前記水処理剤層４４、フィルタ部材４６を通過して水出口４３から流出する。そして、前記水は前記層４４を通過中、セラミック固形物１０１と接触して反応し、前記式で示される二価三価鉄塩を含有する水となる。
【００６５】
水活性用フィルタ２０の水出口４３から流出する前記水は管路Ｐ１を通って前記水入口１９から水処理用フィルタ１へ導入され、前記と同様に中和（ＰＨ値を調整）されて水出口２０から流出する。この水は実施の形態１と同様に身体に好適な弱アルカリ性になり、加えて二価三価鉄塩の作用による上述した特性を有する水となる。
【００６６】
実施の形態２において、前記二価三価鉄塩は、前記式で示される化合物に代え、磁性を帯びた二価三価鉄塩を採用することもできる。磁性を帯びた二価三価鉄塩は上述したように電磁気処理による特性と化学処理による特性の両方を同時に兼ね備えた活性物質で、この活性物質は例えば次の方法により製造できる。
【００６７】
即ち、０．１ｇの磁鉄鉱を１０ｍｌの濃塩酸に入れ、攪拌溶解させて２４時間静置する。この溶液に２５ｍｌの２Ｎ水酸化ナトリウム水溶液を加えて２４時間静置し、中和する。この溶液を減圧濃縮して結晶を析出し、空気乾燥器中で結晶を乾燥する。この結晶を１０ｍｌのエチルアルコールに入れて洗浄する。この洗浄操作を数回繰り返して結晶を精製し、活性物質（結晶）を得る。この際の収率は０．８８ｇであった。次いで、５ｇの磁鉄鉱を１０ｍｌの濃塩酸に入れ、攪拌して半溶解させた後、上記工程で得られた活性物質結晶を０．１ｇ加え、良く攪拌して２４時間静置する。この上澄み液をデカンテーション法により不溶の磁鉄鉱と分離し、活性物質溶液（磁性を帯びた二価三価鉄塩の活性物質の溶液）を得る。
【００６８】
そして、前記により得られた活性物質溶液を用い、前記セラミック固形物１０１と同様の方法により処理して磁性を帯びた二価三価鉄塩を担持させたセラミック固形物を製造する。なお、セラミック固形物の製造に当たり、前記基材１０１ａの原料中に混入する前記活性物質溶液の分量についても前記セラミック固形物１０１と同様である。なお、この場合には前記溶液を水（蒸留水等）に溶かして原液とする。これにより処理した水は実施の形態１と同様に身体に好適な弱アルカリ性になり、加えて磁性を帯びた二価三価鉄塩の作用による上述した特性を有する水になる。
【００６９】
図７は本発明の水処理装置のさらに他の実施の形態（実施の形態３）の全体構成の概略を示すブロック図である。この水処理装置において、実施の形態１及び２で既に説明した構成と共通する部材には同一符号を付して説明は省略する。
【００７０】
実施の形態３は実施の形態２において、前記水活性用フィルタ２を水処理用フィルタ１の水出口２０側と連結して配置した構成を特徴とする。即ち、実施の形態３においては、水活性用フィルタ２は水入口４２を管路Ｐ２により水処理用フィルタ１の水出口２０と連結して配置されている。他の構成については実施の形態２と同様である。この実施の形態３によっても実施の形態２で処理した水と同様の水が得られる。
【００７１】
図８は本発明の水処理用フィルタ装置のさらに他の実施の形態（実施の形態４）を示す縦断面図、図９は図８の前記フィルタ装置に採用される主流管、分流導入手段及び水合流手段の部分を示す図、図１０は図８の前記フィルタ装置の作用説明図である。この水処理用フィルタ装置において、実施の形態１及び２で既に説明した構成と共通する部材には同一符号を付して詳細な説明は省略する。
【００７２】
実施の形態４の水処理用フィルタ装置は前記水処理用フィルタ１と水活性用フィルタ２とを組合せた構成に特徴がある。実施の形態４の水処理用フィルタ装置は水を通過させて処理する水処理用フィルタ３を備えている。
【００７３】
この実施の形態４の水処理用フィルタ３は図８に示すように、ハウジング５１と、第１の収容室５２と、第２の収容室５３と、水合流室５４と、主流管５５と、前記第１の水処理剤層１５と、前記第２の水処理剤層４４と、分流導入手段５６と、水合流手段５７、及び仕切室５８とを備えている。
【００７４】
前記ハウジング５１は水入口５９及び水出口６０を有している。図示のハウジング５１は一端を閉塞板５１ｂで閉塞し、他端を開口した円筒状の容器本体５１ａと、容器本体５１ａの開口他端に気密性を保持させて嵌合した密閉蓋体５１ｃとを備えている。前記水入口５９は前記板５１ｂに、また、前記水出口６０前記蓋体５１ｃに設けてある。
【００７５】
前記第１の収容室５２はハウジング５１内に、前記閉塞板５１ｂと適当な距離間隔を存して設けた第１の仕切板６１で気密性を保持させると共に水入口５９と連通させてハウジング５１内に形成されている。前記第１の収容室５２は第２の水処理剤層４４を充填して収容するもので、収容室５２の容積は適当に決定できる。
【００７６】
前記第２の収容室５３はハウジング５１内に、前記仕切板６１と水出口６０側方向へ適当な距離間隔を存して設けた第２の仕切板６２と、この板６２と第１の仕切板６１とで気密性を保持させてハウジング５１内に形成されている。この収容室５３は第１の水処理剤層１５を充填して収容するもので、収容室５３の容積は適当に決定できる。
【００７７】
前記仕切室５８は第２の仕切板６２と水出口６０側方向に適当な間隔を存してハウジング５１内に設けた第３の仕切板６３と、この板６３と第２の仕切板６２とで気密性を保持させてハウジング５１内に形成されている。前記仕切室５８内にはフェルト材やグラスファイバーその他の素材よりなるフィルタ部材６４が収容されている。
【００７８】
前記水合流室５４は、水出口６０と連通させると共に第３の仕切板６３で気密性を保持させてハウジング５１内に形成されている。また、実施の形態４の水合流室５４内には、第３の仕切板６３と適当な間隔を存して設けられ、任意数、かつ、適当な大きさの孔６５を有するフィルタ受け板６６で区切られて形成したフィルタ室６７が形成されている。前記フィルタ室６７内には前記と同様のフィルタ部材６８が収容されている。なお、前記フィルタ室６７は所望に応じて設けるもので省略してもよい。
【００７９】
前記主流管５５は第１の収容室５２と水合流室５４とを連通させ、第１の収容室５２から導出される水（第２の水処理剤層の通過水）を水合流室５４へ流出させるものである。実施の形態４の主流管５５は適当な太さ及び長さのパイプで構成され、一端部を第１の仕切板６１を貫通させ、また、他端部を第２及び第３の仕切板６２、６３を貫通させると共に前記各貫通部をそれぞれシールして設けてある。これにより、第１の収容室５２と水合流室５４は主流管５５で連通されている。
【００８０】
前記分流導入手段５６は、主流管５５内を第１の収容室５２から水合流室５４へ流出する水の一部を前記管５５内の途中で分流させて第２の収容室５３へ導入するものである。実施の形態４の前記手段５６は、主流管５５の外周面との間に水流通用の流通路６９を形成して前記管５５に嵌合すると共に両端を第２の収容室５３と気密性を保持して設けた分流用流水管７０と、流通路６９と連通させて主流管５５に設けた分流用連通孔７１と、前記流通路６９と第２の収容室５３とを連通する連通部７２とで構成されている。
【００８１】
前記流水管７０を前記室５３内と気密性を保持させる手段として、図面では前記管７０の一端を第１の仕切板６１に、また、他端を第２の仕切板６２にそれぞれ当接し、両当接部をそれぞれシールする構成を採用したものが開示されている。この場合、前記管７０の両端を主流管５５の外周面とそれぞれシールする構成等を採用してもよく、要は第２の収容室５３内と流通路６９とを気密にシールするように構成すればよいものである。
【００８２】
前記連通孔７１は主流管５５の適当な位置に設けるもので、図示の連通孔７１は第２の仕切板６２の近くに位置させて設けた例が開示されている。また、前記連通部７２を設ける位置も適当に決められるものであるが、第２の収容室５３内に導入される水が第１の水処理剤層１５のほゞ全域を通過させる部位に設けることが好ましい。図示の連通部７２は第１の仕切板６１の近くに位置させて前記流水管７０に設けた孔で構成されている。この場合、連通部７２は第１の仕切板６１の前記室５３側の面に流通路６９と収容室５３とを連通する溝を設け、この溝で連通部７２を構成してもよい。なお、連通孔７１及び連通部７２を構成する孔等の大きさは実施の形態１と同様に設定される。
【００８３】
前記水合流手段５７は、第２の収容室５３と水合流室５４とを連通させ、前記室５３内の前記層１５を通過した通過水を水合流室５４へ導入して合流させるものである。実施の形態４の前記手段５７は、第２の収容室５３と仕切室５８とを連通する水導出用の連通部７３と、仕切室５８内に位置させて主流管５５に設けた連通孔７４とで構成されている。
【００８４】
実施の形態４の図面に示す前記連通部７３は第２の仕切板６２に設けた孔で構成されている。この場合、連通部７３は実施の形態１と同様にハウジング５１の内壁面に第２の収容室５３と仕切室５８とを連通する溝を設け、この溝で連通部７３を構成してもよい。また。前記連通孔７４に代え、第３の仕切板６３に仕切室５８と水合流室５４とを連通する孔を設け、或いは主流管５５の外周面又はハウジング５１の内壁面に仕切室５８と水合流室５４とを連通する溝を設ける構成を採用してもよい。なお、前記連通部７３を構成する孔及び連通孔７４の大きさは前記と同様に設定できる。
【００８５】
前記第１の収容室５２内には前記第２の水処理剤層４４が充填して収容されている。この水処理剤層４４は実施の形態２で開示した二価三価鉄塩を含有する複数個の前記セラミック固形物１０１で構成されている。前記層４４の両端にはグラスファイバー、フェルト材その他の素材よりなるフィルタ部材７５、７６が敷設されている。また、この実施の形態４の第１の収容室５２内には前記閉塞板５１ｂの内壁面にフィルタ受け体７７が突設されている。そして、前記受け体７７で前記一方のフィルタ部材７５を受け止めてある。
【００８６】
前記第２の収容室５３内には前記第１の水処理剤層１５が充填して収容されている。この水処理剤層１５は実施の形態１で開示したカルシウム成分を含有する複数個の前記カルシウム成分含有材１５ａで構成されている。実施の形態４の前記成分含有材１５ａは実施の形態１と同様にカルシウム成分を含有する前記セラミック固形物１５ｂで構成されている。
【００８７】
前記セラミック固形物１５ｂは実施の形態２で説明した二価三価鉄塩を含有するセラミック固形物１０１と同様の方法により製造することができる。即ち、例えば、前記セラミック基材１０１ａと同様の材料を前記と同様の割合で配合し、この配合物に対して焼成した動物の骨粉を適当な割合（例えば前記配合物に対して約５重量％ないし約３０重量％）で添加する。そして、前記原料を適当な容器に入れ、これに蒸留水等の水を適量添加して均一に攪拌混練し、これを所望の大きさ及び形状（例えば直径約２ミリ〜約５ミリ程度のボール状）に形成する。この場合、前記水として二価三価鉄塩を含有する水を採用してもよい。この水としては上述した二価三価鉄塩の原液を例えば約１０万倍〜約１０００万倍に希釈した希釈液を使用することができる。
【００８８】
そして、前記成形品を適当な温度（例えば約８００℃〜約１１００℃程度）で適当な時間（例えば約１０時間〜約３０時間）焼成する。これにより前記成形品はセラミック状に焼成固化し、カルシウム成分を含有するセラミック固形物１５ｂが造られる。このセラミック固形物１５ｂは前記セラミック固形物１０１と同様に、全体的に無数の微細な孔（室）を備えた多孔質に形成される。
【００８９】
実施の形態４の水処理用フィルタ装置は上記した構成を具備してなっている。
この構成により、ハウジング５１の水入口５９から導入される水道水等の水は、図１０に矢印で示すように、フィルタ部材７５、第２の水処理剤層４４、及びフィルタ部材７６を通過して主流管５５内へ送られる。そして、前記水は前記層４４を通過中、セラミック固形物１０１と接触して反応し、前記二価三価鉄塩を含有する水となる。
【００９０】
前記主流管５５内へ送られた前記水は、同矢印で示すように、前記管５５内を通って水合流室５４へ導入され、孔６５、フィルタ室６７を通って水出口６０から流出する。一方、前記過程において、主流管５５内の通過中の前記水の一部は分流用連通孔７１の部位で分流され、流通路６９を経て連通部７２から第２の収容室５３内へ導入される。この水は前記室５３内の第１の水処理剤層１５を通過して前記連通部７３から導出される。そして、前記水は前記層１５を通過中、前記セラミック固形物１５ｂと接触して前記と同様に陽イオン交換が行なわれ、中和される。
【００９１】
上記のように、前記室５３内へ導入された前記水は前記層１５を通過する間に中和処理される。そして、前記層１５を通過した分流通過水（この通過水はＰＨ値が高い）は前記したように連通部７３から導出され、仕切室５８内を経て前記連通孔７４から主流管５５内へ入り、主流管５５内の前記水（前記層１５を通過しない主流の水）と合流し、前記ルートを通って水出口６０から流出する。したがって、前記水は前記分流通過水により中和（ＰＨ値を調整）され、弱アルカリ水となる。
【００９２】
本発明の水処理用フィルタ装置は、実施の形態４に示す構成において、前記仕切室５８を省略し、第２の収容室５３と水合流室５４とを前記連通部７３（前記した孔又は溝）で直接連通させる構成を採用することもできる。この構成を採用する場合、第３の仕切板６３及び連通孔７４は不要となる。この構成によると前記層１５を通過した通過水は主流管５５から流出する前記水と水合流室５４内で合流する。
【００９３】
図１１は本発明の水処理用フィルタ装置のさらに他の実施の形態（実施の形態５）を示す縦断面図である。実施の形態５は実施の形態４の水処理用フィルタ装置において前記第１の収容室５２内に第３の水処理剤層８０をさらに充填して設けた構成に特徴がある。
【００９４】
即ち、実施の形態５の水処理用フィルタ４の第１の収容室５２内には活性炭で形成した第３の水処理剤層８０が充填されている。図１１では前記収容室５２内の前記第１の仕切板６１側に位置させ、前記第２の水処理剤層４４の端面にフェルト材やグラスファイバーその他の素材よりなるフィルタ部材８１を介在して第３の水処理剤層８０を充填した例が開示されている。他の構成は実施の形態４の水処理用フィルタ３と同様であるため、同一構成部には同一符号を付して説明を省略する。
【００９５】
実施の形態５の水処理用フィルタ装置は上記のように構成されている。これにより、実施の形態４に加え、既に説明した活性炭による作用で処理された水になる。
【００９６】
図１２は本発明の水処理用フィルタ装置を用いて構成した浄水器の一実施の形態を示す説明図である。図面では実施の形態５（図１１）の水処理用フィルタ４を用いた例が開示されている。
【００９７】
図１２に示す浄水器２００は前記フィルタ４を出し入れ自在に収容するハウジング２０１を備えている。ハウジング２０１は前記フィルタ装置４を収容する円筒状の収容筒２０２と、この筒２０２の一端（図において上端）を気密に閉塞する上蓋２０３と、筒２０２の他端（図において下端）を気密に閉塞する底部材２０４とを備えている。
【００９８】
前記底部材２０４の上面中心部には前記フィルタ４の水入口５９（管）を嵌合してハウジング５１の収容室５２に連通する嵌合孔２０５を有し、前記フィルタ４は水入口５９を前記孔２０５へ嵌合して収容筒２０２に収容されている。前記底部材２０４は前記孔２０５に連通する水導入口２０６を有し、水導入口２０６には接続プラグ２０７が取付けてある。また、前記上蓋２０３の中心部には中心孔（図示せず）を有する取付部材２０８が一体形成され、送水管２０９の基端部をナット部材２１０により取付部材２０８の前記孔と連通させて取付けてある。
そして、前記フィルタ４の水出口６０（管）はシール部材２１１を貫通して水出口６０の先端を送水管２０９の基端と連通させ、前記ナット部材２１０で締め付けて、前記フィルタ４を収容筒２０２に固定してある。なお、上述したように、前記フィルタ４は図１１に開示したものであるため、同一構成部には同一符号を付して説明を省略する。
【００９９】
図１２に実施の形態の浄水器２００は上記のように構成したもので、次にその使用方法等につき説明する。前記プラグ２０７を例えば水道の蛇口等（図示せず）に接続してセットする。そこで、蛇口等のコックを開くと、水は水導入口２０６を通り、水入口５９からヘウジング５１の第１の収容室５２内に導入される。
この水は上述したように第２及び第３の水処理材層４４、８０を通過して処理され、また、第１の水処理剤層で中和（ＰＨ値調整）され、水出口６０を通り、送水管２０９から流出する。
【０１００】
なお、図１２は水処理装置の一例として浄水器を開示したもので、既に説明したように、水処理装置の種類等は任意の構成に変更できるものである。また、前記例示した以外の各実施の形態の水処理用フィルタ装置を採用して各種の水処理装置を構成できること勿論である。
【０１０１】
【発明の効果】
本発明によれば水を中和（ＰＨ値調整）して、身体に好適な弱アルカリ性にすることができる。
【図面の簡単な説明】
【図１】本発明の水処理用フィルタ装置の一実施の形態を示す縦断面図である。
【図２】同上フィルタ装置の作用説明図である。
【図３】本発明の水処理用フィルタ装置の他の実施の形態の全体構成の概略を示すブロック図である。
【図４】図３の装置に採用される水活性用フィルタの一例を示す縦断面図である。
【図５】図４の前記フィルタの作用説明図である。
【図６】図４の前記フィルタのセラミック固形物の製造工程を示す説明図であって、同図Ａはセラミック基材の構成原料を製造する工程を示す説明図、同図Ｂはセラミック基材の成形品を製造する工程を示す説明図、同図Ｃはセラミック固形物の完成品を示す説明図である。
【図７】本発明の水処理用フィルタ装置さらに他の実施の形態の全体構成の概略を示すブロック図である。
【図８】本発明の水処理用フィルタ装置のさらに他の実施の形態を示す縦断面図である。
【図９】図８の前記フィルタ装置に採用される主流管、分流導入手段及び水合流手段の部分を示す図であって、同図Ａは縦断面図、同図Ｂは同図ＡのＡ−Ａ線断面図、同図Ｃは同図ＡのＢ−Ｂ線断面図である。
【図１０】図８の前記フィルタ装置の作用説明図である。
【図１１】本発明の水処理用フィルタ装置のさらに他の実施の形態を示す縦断面図である。
【図１２】本発明の水処理用フィルタ装置を用いて構成した浄水器の一例を示す説明図である。
【符号の説明】
１…水処理用フィルタ
１１…ハウジング
１２…収容室
１３…水合流室
１４…主流管
１５…水処理剤層
１５ｂ…セラミック成分を含有するセラミック固形物
１６…分流導入手段
１７…水合流手段
１９…水入口
２０…水出口
【図１】
2004082081.tif 000003
【図２】
2004082081.tif 000004
【図３】
2004082081.tif 000005
【図７】
2004082081.tif 000006
【図４】
2004082081.tif 000007
【図５】
2004082081.tif 000008
【図６】
2004082081.tif 000009
【図８】
2004082081.tif 000010
【図９】
2004082081.tif 000011
【図１０】
2004082081.tif 000012
【図１１】
2004082081.tif 000013
【図１２】
2004082081.tif 000014
【手続補正書】
【提出日】平成14年12月5日(2002.12.5)
【手続補正１】
【補正対象書類名】明細書
【補正対象項目名】請求項１
【補正方法】変更
【補正の内容】
【請求項１】
水処理用フィルタを備え、水を前記フィルタを通過させて処理する水処理用フィルタ装置において、
前記水処理用フィルタは、水入口及び水出口を有するハウジングと、前記ハウジング内に設けた第１の仕切板で気密性を保持させて前記ハウジング内に形成された収容室と、前記水出口と連通させて前記ハウジング内に形成された水合流室と、前記水入口と前記水合流室とを連通した主流管と、前記収容室内へ充填した第１の水処理剤層と、前記管内を前記水入口から前記水合流室へ流出する水の一部を前記管内の途中で分流させて前記収容室へ導入する分流導入手段と、前記収容室と前記水合流室とを連通する水合流手段とを備え、
前記水処理剤層はカルシウム成分を含有する複数個のカルシウム成分含有材で構成されていることを特徴とする、
水処理用フィルタ装置。
【手続補正２】
【補正対象書類名】明細書
【補正対象項目名】請求項２
【補正方法】変更
【補正の内容】
【請求項２】
前記水処理用フィルタの水入口側と連結して設けられ、水入口及び水出口を有するハウジング内に第２の水処理剤層を充填した水活性用フィルタをさらに備え、
前記第２の水処理剤層は二価三価鉄塩を含有する複数個のセラミック固形物で構成されていることを特徴とする、請求項１記載の水処理用フィルタ装置。
【手続補正３】
【補正対象書類名】明細書
【補正対象項目名】０００１
【補正方法】変更
【補正の内容】
【０００１】
【発明の属する技術分野】
本発明は水処理用フィルタを備え、水を前記フィルタを通過させて処理する水処理用フィルタ装置及び水処理装置に関する。さらに詳しくは前記フィルタを用い、水道水，井戸水，中空糸膜透過水、或いは逆浸透膜透過水等の水を中和して弱アルカリ性にする水処理用フィルタ装置及び水処理装置に関する。


【手続補正４】
【補正対象書類名】明細書
【補正対象項目名】０００８
【補正方法】変更
【補正の内容】
【０００８】
第１の発明によれば、水を前記フィルタの水入口へ送給すると、この水は前記主流管内を通って前記水合流室内へ流出する。一方、前記管内を流れる水の一部は前記管内の途中で分流される。そして、この分流水だけを前記収容室内へ導入して前記層を通過させ、この分流通過水（この水はＰＨ値が高い）を前記水合流室内へ流出する前記水と合流させる。したがって、前記水入口へ送給した水は前記分流通過水により中和（ＰＨ値を調整）され、弱アルカリ水となる。また、一部の水だけを前記層を通過させるので、前記層の水処理剤を長期間にわたり有効に作用させ、安定かつ一定に保持させ、前記水を中和してＰＨ値を所望の数値に調整することができる。


【手続補正５】
【補正対象書類名】明細書
【補正対象項目名】００５０
【補正方法】変更
【補正の内容】
【００５０】
実施の形態１の水処理用フィルタ装置は上記のように構成したものである。この構成により、ハウジング１１の水入口１９から導入される水道水等の水は、図２に矢印で示すように主流管１４内を通って水合流室１３へ導入され、孔２５、フィルタ室２７を通って水出口２０から流出する。一方、前記過程において、主流管１４内を通過中の前記水の一部は分流用連通孔３１で分流され、流通路２９を経て連通孔３２から収容室１２内へ導入される。この水は前記室１２内の前記水処理剤層１５を通過して前記連通部３３から導出される。そして、前記水は前記層１５を通過中、前記セラミック固形物１５ｂと接触して陽イオン交換（水素イオンが取り入れられ、その分カルシウムイオンが放出される）が行なわれ、中和される。


【手続補正６】
【補正対象書類名】明細書
【補正対象項目名】００５４
【補正方法】変更
【補正の内容】
【００５４】
図３は本発明の水処理用フィルタ装置の他の実施の形態（実施の形態２）の全体構成の概略を示すブロック図、図４は同上装置に採用される水活性用フィルタの一例を示す縦断面図、図５は前記フィルタの作用説明図、図６はセラミック固形物の製造工程を示す説明図である。この水処理用フィルタ装置において、実施の形態１で既に説明した構成と共通する部材には同一の符号を付し、説明は省略する。実施の形態２は前記水処理用フィルタ１と連結して配置した水活性用フィルタ２を備えた構成を特徴とする。


【手続補正７】
【補正対象書類名】明細書
【補正対象項目名】００５５
【補正方法】変更
【補正の内容】
【００５５】
前記水活性用フィルタ２は図４に示すように、水入口４２及び水出口４３を有するハウジング４１と、このハウジング４１内に設けた第２の水処理剤層４４とを備えている。このフィルタ２は図３に示すように、前記水出口４３を管路Ｐ１により前記水処理用フィルタ１の前記水入口１９と連結して配置されている。


【手続補正８】
【補正対象書類名】明細書
【補正対象項目名】００５７
【補正方法】変更
【補正の内容】
【００５７】
前記第２の水処理剤層４４はハウジング４１内に充填して設けた二価三価鉄塩を含有する複数個のセラミック固形物１０１で構成されている。前記層４４の両端にはグラスファイバーその他の素材よりなるフィルタ部材４５、４６が敷設されている。


【手続補正９】
【補正対象書類名】明細書
【補正対象項目名】００６４
【補正方法】変更
【補正の内容】
【００６４】
実施の形態２の水処理用フィルタ装置の水活性用フィルタ２は、ハウジング４１内に前記セラミック固形物１０１を所望数充填して構成した第２の水処理剤層４４を備えている。この構成により、ハウジング４１の水入口４２から導入される水道水等の水は、図５に矢印で示すように、フィルタ部材４５、前記水処理剤層４４、フィルタ部材４６を通過して水出口４３から流出する。そして、前記水は前記層４４を通過中、セラミック固形物１０１と接触して反応し、前記式で示される二価三価鉄塩を含有する水となる。


【手続補正１０】
【補正対象書類名】明細書
【補正対象項目名】００６５
【補正方法】変更
【補正の内容】
【００６５】
水活性用フィルタ２の水出口４３から流出する前記水は管路Ｐ１を通って前記水入口１９から水処理用フィルタ１へ導入され、前記と同様に中和（ＰＨ値を調整）されて水出口２０から流出する。この水は実施の形態１と同様に身体に好適な弱アルカリ性になり、加えて二価三価鉄塩の作用による上述した特性を有する水となる。


【手続補正１１】
【補正対象書類名】明細書
【補正対象項目名】００６９
【補正方法】変更
【補正の内容】
【００６９】
図７は本発明の水処理用フィルタ装置のさらに他の実施の形態（実施の形態３）の全体構成の概略を示すブロック図である。この水処理用フィルタ装置において、実施の形態１及び２で既に説明した構成と共通する部材には同一符号を付して説明は省略する。


【手続補正１２】
【補正対象書類名】明細書
【補正対象項目名】００９９
【補正方法】変更
【補正の内容】
【００９９】
図１２の実施の形態の浄水器２００は上記のように構成したもので、次にその使用方法等につき説明する。前記プラグ２０７を例えば水道の蛇口等（図示せず）に接続してセットする。そこで、蛇口等のコックを開くと、水は水導入口２０６を通り、水入口５９からハウジング５１の第１の収容室５２内に導入される。
この水は上述したように第２及び第３の水処理剤層４４、８０を通過して処理され、また、第１の水処理剤層で中和（ＰＨ値調整）され、水出口６０を通り、送水管２０９から流出する。




【手続補正書】
【提出日】平成15年6月25日(2003.6.25)
【手続補正１】
【補正対象書類名】明細書
【補正対象項目名】請求項１９
【補正方法】変更
【補正の内容】
【請求項１９】
前記水合流手段は、前記第２の収容室と前記水合流室とを連通する水導出用の連通部で構成されていることを特徴とする、請求項１２ないし１８のいずれかに記載の水処理用フィルタ装置。
【手続補正２】
【補正対象書類名】明細書
【補正対象項目名】００４４
【補正方法】変更
【補正の内容】
【００４４】
前記流水管３０を収容室１２内と気密性を保持させる手段として、図面では前記管３０の一端を第１の仕切板に、また、他端を閉塞板１１ｂの内壁面にそれぞれ当接し、前記両当接部をそれぞれシールする構成を採用したものが開示されている。この場合前記管３０の両端を主流管１４の外周面とそれぞれシールする構成等を採用してもよく、要は収容室１２内と流通路２９とを気密にシールするように構成すればよいものである。


【手続補正３】
【補正対象書類名】明細書
【補正対象項目名】符号の説明
【補正方法】変更
【補正の内容】
【符号の説明】
１…水処理用フィルタ
１１…ハウジング
１２…収容室
１３…水合流室
１４…主流管
１５…水処理剤層
１５ｂ…カルシウム成分を含有するセラミック固形物
１６…分流導入手段
１７…水合流手段
１９…水入口
２０…水出口